【事件の表示】
　特許第３２４３３５６号「毛髪化粧料」の請求項１〜６に係る特許に対する特許異議の申立てについて、次のとおり決定する。
【結　論】
　訂正を認める。
　特許第３２４３３５６号の請求項１〜４に係る特許を維持する。
【理　由】
１．手続の経緯
　本件特許第３２４３３５６号の請求項１〜６に係る発明については、平成５年１２月１０日（パリ条約による優先権主張、１９９２年１２月１１日、ドイツ連邦共和国）に特許出願され、平成１３年１０月１９日に特許権の設定登録がされた。その後、ウエラ アクチェンゲゼルシャフトにより特許異議の申立てがされ、取消しの理由が通知され、その指定期間内である平成１４年１１月１５日に訂正請求書が提出され（後日取下げ）、再度取消しの理由が通知された後、その指定期間内である平成１４年１１月２９日に訂正請求書が提出されたものである。
　
２．訂正請求について
（１）訂正の内容
訂正事項ａ
　請求項１の「（ａ）油相１５〜４０重量％、（ｂ）一般式（１）
（式中、Ｒは炭素数１〜１８のアルキル基を示し、Ａはエチレン基又はプロピレン基を示し、Ｘは水素原子又は炭素数１〜４のアルキル基を示し、ｍ、ｎ及びｚはそれぞれ２〜２５の数を示し、ｌは１〜１０の数を示す）
で表わされるシリコーンコポリオールの少なくとも１種からなる乳化剤０．０５〜５重量％、及び（ｃ）残部の水相からなる、使用前には異なる二層に分離し、振とうすることにより混合されて短時間に均一なエマルションを形成し、その後二層に分離する毛髪化粧料。」を「（ａ）炭素数１２〜３０の直鎖の炭化水素からなる油相１５〜４０重量％、（ｂ）一般式（１）（審決注：この化学構造式及びその説明に変更はないので、記載を省略する。）で表わされるシリコーンコポリオールの少なくとも１種からなる乳化剤０．０５〜５重量％、及び（ｃ）残部の水相からなる、使用前には異なる二層に分離し、振とうすることにより混合されて短時間に均一なエマルションを形成し、その後二層に分離するヘアコンディショニング剤。」と訂正する。
　
訂正事項ｂ
　請求項２の「一般式（１）で表わされるシリコーンコポリオールを全組成中に０．２５〜３重量％含有する請求項１記載の毛髪化粧料。」を「一般式（１）で表わされるシリコーンコポリオールを全組成中に０．２５〜３重量％含有する請求項１記載のヘアコンディショニング剤。」と訂正する。
　
訂正事項ｃ
　請求項３の「一般式（１）中、ｍが５〜１５の数を示し、ｎが３〜７の数を示し、ｌが２又は３を示し、ｚが１０〜１５の数を示すシリコーンコポリオールを含有する請求項１又は２記載の毛髪化粧料。」を「一般式（１）中、ｍが５〜１５の数を示し、ｎが３〜７の数を示し、ｌが２又は３を示し、ｚが１０〜１５の数を示すシリコーンコポリオールを含有する請求項１又は２記載のヘアコンディショニング剤。」と訂正する。
　
訂正事項ｄ
　請求項４の「一般式（１）中、Ｒがメチル基、ラウリル基又はセチル基を示すシリコーンコポリオールを含有する請求項１〜３のいずれかの項記載の毛髪化粧料。」を「一般式（１）中、Ｒがメチル基、ラウリル基又はセチル基を示すシリコーンコポリオールを含有する請求項１〜３のいずれかの項記載のヘアコンディショニング剤。」と訂正する。
　
訂正事項ｅ
　請求項５及び６を削除する。
　
訂正事項ｆ
　明細書の段落［００２４］、［００２７］及び［００２９］中の「実施例１」、「実施例２」及び「実施例３」を、それぞれ、「参考例１」、「参考例２」及び「実施例１」と訂正する。
　
（２）訂正の適否
　訂正事項ａは、組成物を構成する成分（ａ）「油相」を「炭素数１２〜３０の直鎖の炭化水素からなる油相」に限定し、また、組成物の用途を「毛髪化粧料」から「ヘアコンディショニング剤」に限定するものであるから、特許請求の範囲の減縮を目的とするものである。そして、訂正後の油相成分に関しては、願書に添付した明細書（以下、「特許明細書」という。）の段落［００１６］における好ましいものの記述、及び［００３０］の実施例におけるヘアコンディショニング剤を構成する具体的な成分の記述から、特許明細書に記載された事項の範囲内のものであり、また、訂正後の用途に関しては、特許明細書の段落［００２０］、［００２２］及び［００２９］の記述から特許明細書に記載された事項の範囲内のものである。
　訂正事項ｂ〜ｄは、組成物の用途を「毛髪化粧料」から「ヘアコンディショニング剤」に限定するものであるが、先に述べた理由から、特許請求の範囲の減縮を目的とするものであって、特許明細書に記載された事項の範囲内のものである。
　訂正事項ｅは、請求項を削除するものであるから、特許請求の範囲の減縮を目的とするものである。
　訂正事項ｆは、訂正事項ａにおける油相の限定に伴って、実施例を参考例とし、また、実施例の番号を変更して、明細書の記載を整合させたものであるから、明りょうでない記載の釈明を目的とするものであって、特許明細書に記載された事項の範囲内のものである。
　そして、上記訂正事項ａ〜ｆのいずれの訂正も、実質上特許請求の範囲を拡張し、又は変更するものではない。
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
（１）申立ての理由の概要
　特許異議申立人ウエラ アクチェンゲゼルシャフトは、甲第１〜４号証を提出し、訂正前の本件特許の請求項１〜６に係る発明の特許は特許法第２９条第１項第３号又は第２項の規定に違反してなされた旨を主張している。
　
（２）本件特許発明
　上記２．で示したように訂正が認められるから、本件特許第３２４３３５６号の請求項１〜４に係る発明（以下、それぞれ「本件発明１」等という。）は、平成１４年１１月２９日付け訂正明細書の特許請求の範囲の請求項１〜４に記載された次のとおりのものである。
請求項１　（ａ）炭素数１２〜３０の直鎖の炭化水素からなる油相１５〜４０重量％、（ｂ）一般式（１）
（式中、Ｒは炭素数１〜１８のアルキル基を示し、Ａはエチレン基又はプロピレン基を示し、Ｘは水素原子又は炭素数１〜４のアルキル基を示し、ｍ、ｎ及びｚはそれぞれ２〜２５の数を示し、ｌは１〜１０の数を示す）
で表わされるシリコーンコポリオールの少なくとも１種からなる乳化剤０．０５〜５重量％、及び（ｃ）残部の水相からなる、使用前には異なる二層に分離し、振とうすることにより混合されて短時間に均一なエマルションを形成し、その後二層に分離するヘアコンディショニング剤。
請求項２　一般式（１）で表わされるシリコーンコポリオールを全組成中に０．２５〜３重量％含有する請求項１記載のヘアコンディショニング剤。
請求項３　一般式（１）中、ｍが５〜１５の数を示し、ｎが３〜７の数を示し、ｌが２又は３を示し、ｚが１０〜１５の数を示すシリコーンコポリオールを含有する請求項１又は２記載のヘアコンディショニング剤。
請求項４　一般式（１）中、Ｒがメチル基、ラウリル基又はセチル基を示すシリコーンコポリオールを含有する請求項１〜３のいずれかの項記載のヘアコンディショニング剤。
　
（３）特許異議申立人が提出した証拠の記載
甲第１号証（英国特許出願公開第２２０６０４８号明細書）
・「静置状態で異なる二層以上の層を形成し、振とう後に、少なくとも３０秒の一定時間は均一状態にあるエマルションとなり、i）水相と、ii）揮発性シリコーンを含有する油相と、iii）乳化剤とを含有する化粧料組成物。」（請求項１）
・「前記組成物の１〜６０重量％にて前記油相が含まれている前記請求項のいずれか１項に記載の化粧料組成物。」（請求項９）
・「前記組成物の０．０５〜３０重量％にて前記乳化剤が含まれている前記請求項のいずれか１項に記載の化粧料組成物。」（請求項１４）
・「前記乳化剤が、下記の式（Ｉ）で表わされるジメチコーンコポリオール
　　　　　Ｒ1　　　　　　　　　 Ｒ1  　
　　　　　｜　　　　　　　　　　｜　　
　　Ｒ2−ＳｉＯ−[Ａ]n−[Ｂ]m−Ｓｉ−Ｒ2　
　　　　　｜　　　　　　　　　　｜　　
　　　　　Ｒ3　　　　　　　　　 Ｒ３  　　　　　Ｉ　
［式中、Ｒ1，Ｒ2及びＲ3は同一でも異なってもよく、炭素数１〜３のアルキル基であり、
Ａは下記式（II）で表されるジアルキルシロキサン単位であり、
　　　Ｒ4　  　
　　　｜　　　
　　−Ｓｉ−Ｏ−　
　　　｜　　
　　　Ｒ5　　　　　II
（式中Ｒ4及びＲ5は同一でも異なってもよく、炭素数１〜４のアルキル基である）、
Ｂは下記式（III）で表されるポリオキシアルキレンを含有するジ置換シロキサン単位であり、
　　　Ｒ6　  　
　　　｜　　　
　　−Ｓｉ−Ｏ−　
　　　｜　　
　　 (ＣＨ2)a(ＯＣbＨ2b)cＯＲ7　　　　　III
（式中、Ｒ6は炭素数１〜４のアルキル基であり、ａは０又は１〜８の数であり、ｂは２又は３であり、ｃは３〜２０の数であり、さらにＲ7はＨ、アルキル、アリール及びアシル基から選ばれる末端基である）
ｎは５〜１００の数であり、さらにｍは１〜１６の数である。］
である前記請求項のいずれか１項に記載の化粧料組成物。」（請求項１６）
・「好適なジメチコーンコポリオールは市販供給源より入手可能であり、例えばダウコーニング社（商品名：活性剤１９０又は１９３）、ユニオンカーバイド社（商品名：Silwet界面活性コポリマー）、ゴールドシュミット社（商品名：ABIL 8842、8843、8851、8852、8863、8873）またはワッカーケミ社（商品名：シリコーンフルイドVP 1611又は VP 1629）の製品が挙げられる。」（４頁７〜１２行）
・「本発明の化粧料組成物は、既知のあらゆる化粧料製品に適用され得るものである。」（４頁１８〜１９行）
・「実施例２
シクロジメチコーン（ダウコーニング社345フルイド）　　　　 ２５％
ジメチコーンコポリオール（ABIL B8852：ゴールドシュミット社）
　　　　　　　　　　　　　　　　　　　　　　　　　　　０．２５％
グリセリンBP　　　　　　　　　　　　　　　　　　　　　１２．５％
精製水BP　　　　　　　　　　　　　　　　　　　　　　６２．２５％」
（６頁１９〜２４行）
　
　上記摘示事項から見て、甲第１号証には「静置状態で異なる二層以上の層を形成し、振とう後に、少なくとも３０秒の一定時間は均一状態にあるエマルションとなる化粧料組成物であって、i）水相、ii）揮発性シリコーンを含有する油相１〜６０重量％、及び、iii）上記式（Ｉ）で表されるジメチコーンコポリオールである乳化剤０．０５〜３０重量％を含有する化粧料組成物。」の発明が記載されているものと認められる。
　
甲第２号証（特開平２−１４２７１６号公報）
・「次の成分（ａ）〜（ｅ）
（ａ）化粧用粉体　　　　　　　　５〜40重量％
（ｂ）揮発性油剤　　　　　　　　５〜40重量％
（ｃ）不揮発性油剤　　　　　　　５〜50重量％
（ｄ）非イオン性界面活性剤　　 0.5〜５重量％
（ｅ）水　　　　　　　　　　　　10〜80重量％
を含有し、静置時には二層又は三層に分離し、振とうすることによつて乳濁状態となることを特徴とする振とう分散乳濁型メーキヤツプ化粧料。」（特許請求の範囲の請求項１）
・「斯くして得られたメーキヤツプ化粧料は、静置時には上層に油剤、下層に水及び粉体を含む二層状態、又は、上層に油剤、中間層に水、下層に粉体を含む三層状態となり、使用時に振とうすることにより、容易に均一な乳濁状態となるものである。」（３頁右上欄）
・４頁の第１表には、本発明品２及び３として、低沸点イソパラフイン　５重量％、オクタメチルシクロテトラシロキサン　１０重量％、ジメチルシロキサン・メチルポリオキシエチレンシロキサン共重合体（HLB値4.2、シリコンＫＦ−９４５Ａ（信越化学株式会社製））　２重量％を含有するファンデーションが記載されている。
　
甲第３号証（ユニオンカーバイド社の「SILWET（商標） COPOLYMER L-7614」の商品説明パンフレット（１９８４年発行））
・「SILWET（商標）コポリマーL-7614は、ジメチコーンコポリオールのCTFA名を有するシリコーングリコールコポリマーである。SILWET（商標）コポリマーL-7614は、無毒の液体であり、泡形成剤・濡れ剤・乳化剤・表面張力抑制剤として作用して化粧品やトイレタリー製品に幅広く使用される。シャンプーで用いた場合、豊かな泡を形成し、かつ毛髪に対してコンディショニング効果を発揮する。」（１頁上段１〜７行）
　
甲第４号証（ダウコーニング社の「ダウコーニング（商標）１９０及び１９３」の商品説明パンフレット（１９９０年発行））
・「毛髪に絹のような光沢としなやかさを付与する」（１頁左側「製品特長の要約」欄４〜５行）　
・「ダウコーニング１９０及び１９３は、以下の構造式を有するシリコーングリコールコポリマーである（化学構造式は省略）」（１頁本文「説明」欄下から３〜１行）
　
（４）対比・判断
（ａ）本件発明１について
　本件発明１と甲第１号証に記載された発明を対比すると、両者は、「（ａ）油相１５〜４０重量％、（ｂ）一般式（１）（審決注：化学構造式は上記（２）の請求項１を参照）（式中、Ｒは炭素数１〜３のアルキル基を示し、Ａはエチレン基又はプロピレン基を示し、Ｘは水素原子又は炭素数１〜４のアルキル基を示し、ｍは５〜２５の数、ｎは２〜１６の数、ｚは３〜２０の数、ｌは１〜８の数を示す。）で表わされるシリコーンコポリオールからなる乳化剤０．０５〜５重量％、及び（ｃ）残部の水相からなる、使用前には異なる二層に分離し、振とうすることにより混合されて短時間に均一なエマルションを形成し、その後二層に分離する化粧料組成物。」で一致し、本件発明１は、油相が不揮発性の「炭素数１２〜３０の直鎖の炭化水素」であって「揮発性シリコーンを含有しないもの」であるのに対して、甲第１号証に記載された発明は、油相が「揮発性シリコーンを含有するもの」である点において相違する。
　したがって、本件発明１は甲第１号証に記載された発明ではない。
　
　次に、前記相違点について検討する。
　本件発明１は、上述したように、油相が不揮発性の炭素数１２〜３０の直鎖の炭化水素からなるものであって、揮発性シリコーンを含む揮発性の油剤を含有しない点に特徴を有するものである。一方、甲第１号証には「揮発性シリコーンの蒸発後、アルコール、水、非揮発性成分が後に残る。皮膚に残された非揮発性成分が保湿成分や皮膚に有用な効果を付与する成分である場合、とりわけ都合がよい。」（４頁３０行〜５頁２行）、「水相には水溶性の着色料を、油相には油溶性の着色料を適切に使用することによって、審美的な満足感を与え、化粧料組成物の使用者に大きくアピールする製品を提供することが可能である。」（５頁２５〜３０行）と記載されいることから、甲第１号証に記載された発明は、特定の乳化剤を使用しても静置状態では水相と混和することなく異なる層を形成する油相として揮発性シリコーンを含有するものを使用することにより、静置状態で異なる二層以上の層を形成し、適用時には、油相中の揮発性シリコーンが蒸発し、後に残った成分が所望の効果を付与するというものである。このように、甲第１号証に記載された発明においては、揮発性シリコーンが発明の効果を発現する為の必須の構成と認められるので、甲第１号証には、揮発性シリコーンを含有しない、油相が不揮発性の炭素数１２〜３０の直鎖の炭化水素からなる化粧料は示唆されていない。また、甲第２号証に記載された静置時には二層又は三層に分離し、振とうすることによって乳濁状態となるメーキャップ化粧料も、その特許請求の範囲の記載から、揮発性シリコーンを含む揮発性油剤を油相として配合することを発明の構成に欠くことができない事項とするものであるから、甲第２号証に記載された発明においても、揮発性油剤を含有せず、不揮発性の炭素数１２〜３０の直鎖の炭化水素からなる油相を含む化粧料は記載も示唆もされていない。さらに、甲第３及び４号証に記載された事項は、何れも、シリコーンコポリオールに関する事項であって、油相として揮発性成分を含有しない化粧料は記載も示唆もされていない。
　したがって、本件発明１は、甲第１〜４号証に記載された事項に基いてその出願前に当業者が容易に発明をすることができたものではない。
　
（ｂ）本件発明２〜４について
　本件発明２〜４は、本件発明１をさらに限定するものであるから、上記（ａ）に述べた理由から明らかなように、甲第１号証に記載された発明ではなく、また、甲第１〜４号証に記載された事項に基いてその出願前に当業者が容易に発明をすることができたものでもない。
　
４．むすび
　以上のとおりであるから、特許異議申立ての理由及び証拠によっては、本件発明１〜４の特許を取り消すことはできない。
　
　また、他に本件発明１〜４の特許を取り消すべき理由を発見しない。
　
　よって、結論のとおり決定する。
【異議決定日】
平成１４年１２月１０日（２００２．１２．１０）
【訂正の要旨】
訂正の要旨
・訂正事項１
　請求項１が「（ａ）油相１５〜４０重量％、（ｂ）一般式（１）
（式中、Ｒは炭素数１〜１８のアルキル基を示し、Ａはエチレン基又はプロピレン基を示し、Ｘは水素原子又は炭素数１〜４のアルキル基を示し、ｍ、ｎ及びｚはそれぞれ２〜２５の数を示し、ｌは１〜１０の数を示す）で表わされるシリコーンコポリオールの少なくとも１種からなる乳化剤０．０５〜５重量％、及び（ｃ）残部の水相からなる、使用前には異なる二層に分離し、振とうすることにより混合されて短時間に均一なエマルションを形成し、その後二層に分離する毛髪化粧料。」とあるのを、特許請求の範囲の減縮を目的として、「（ａ）炭素数１２〜３０の直鎖の炭化水素からなる油相１５〜４０重量％、（ｂ）一般式（１）（注：化学構造式及びその説明に変更はないので記載を省略する。）で表わされるシリコーンコポリオールの少なくとも１種からなる乳化剤０．０５〜５重量％、及び（ｃ）残部の水相からなる、使用前には異なる二層に分離し、振とうすることにより混合されて短時間に均一なエマルションを形成し、その後二層に分離するヘアコンディショニング剤。」と訂正する。
・訂正事項２
　請求項２が「一般式（１）で表わされるシリコーンコポリオールを全組成中に０．２５〜３重量％含有する請求項１記載の毛髪化粧料。」とあるのを、特許請求の範囲の減縮を目的として、「一般式（１）で表わされるシリコーンコポリオールを全組成中に０．２５〜３重量％含有する請求項１記載のヘアコンディショニング剤。」と訂正する。
・訂正事項３
　請求項３が「一般式（１）中、ｍが５〜１５の数を示し、ｎが３〜７の数を示し、ｌが２又は３を示し、ｚが１０〜１５の数を示すシリコーンコポリオールを含有する請求項１又は２記載の毛髪化粧料。」とあるのを、特許請求の範囲の減縮を目的として、「一般式（１）中、ｍが５〜１５の数を示し、ｎが３〜７の数を示し、ｌが２又は３を示し、ｚが１０〜１５の数を示すシリコーンコポリオールを含有する請求項１又は２記載のヘアコンディショニング剤。」と訂正する。
・訂正事項４
　請求項４が「一般式（１）中、Ｒがメチル基、ラウリル基又はセチル基を示すシリコーンコポリオールを含有する請求項１〜３のいずれかの項記載の毛髪化粧料。」とあるのを、特許請求の範囲の減縮を目的として、「一般式（１）中、Ｒがメチル基、ラウリル基又はセチル基を示すシリコーンコポリオールを含有する請求項１〜３のいずれかの項記載のヘアコンディショニング剤。」と訂正する。
・訂正事項５
　特許請求の範囲の減縮を目的として、請求項５及び６を削除する。
・訂正事項６
　明りょうでない記載の釈明を目的として、明細書の段落［００２４］、［００２７］及び［００２９］中の「実施例１」、「実施例２」及び「実施例３」を、それぞれ、「参考例１」、「参考例２」及び「実施例１」と訂正する。
（５４）【発明の名称】
毛髪化粧料
（５７）【特許請求の範囲】
　【請求項１】　（ａ）炭素数１２〜３０の直鎖の炭化水素からなる油相１５〜４０重量％、（ｂ）一般式（１）
　【化１】
（式中、Ｒは炭素数１〜１８のアルキル基を示し、Ａはエチレン基又はプロピレン基を示し、Ｘは水素原子又は炭素数１〜４のアルキル基を示し、ｍ、ｎ及びｚはそれぞれ２〜２５の数を示し、ｌは１〜１０の数を示す）
で表わされるシリコーンコポリオールの少なくとも１種からなる乳化剤０．０５〜５重量％、及び（ｃ）残部の水相からなる、使用前には異なる二層に分離し、振とうすることにより混合されて短時間に均一なエマルションを形成し、その後二層に分離するヘアコンディショニング剤。
　【請求項２】　一般式（１）で表わされるシリコーンコポリオールを全組成中に０．２５〜３重量％含有する請求項１記載のヘアコンディショニング剤。
　【請求項３】　一般式（１）中、ｍが５〜１５の数を示し、ｎが３〜７の数を示し、ｌが２又は３を示し、ｚが１０〜１５の数を示すシリコーンコポリオールを含有する請求項１又は２記載のヘアコンディショニング剤。
　【請求項４】　一般式（１）中、Ｒがメチル基、ラウリル基又はセチル基を示すシリコーンコポリオールを含有する請求項１〜３のいずれかの項記載のヘアコンディショニング剤。
【発明の詳細な説明】
　【０００１】
　【産業上の利用分野】
　本発明は毛髪化粧料に関し、更に詳細には、２つの異なる視覚的に分離した相を含有し、使用前に振とうすることにより直ちに混合され均一なエマルションとなり、使用後にはすぐに、好ましくは透明な、異なる二層に分離する毛髪化粧料に関する。
　【０００２】
　【従来の技術及び発明が解決しようとする課題】
　分離した二層を含有し、使用前に振とうすることにより直ちに混合され均一なエマルションとなり、使用後にはすぐに二層に分離するという性質を有する毛髪化粧料は、その魅力的な外観により、消費者に好評である。特に、好ましくは透明な、２つの相が異なる色である場合には、振とうすることによってこれらの相が混合され、更に面白い視覚的な効果が得られる。
　【０００３】
　このような製品を使用する際には、振とうすることによって二層が素早く混合され、乳化によって均一なエマルションになり、これを毛髪に適用することができ、またその後はすぐに二層に分離するという要件を満たしていることが重要である。
　【０００４】
　このような製品としては、ドイツ特許出願第３，６２７，３１３号が知られている。この製品は、乳化剤として、全組成中に１重量％以下のトリラネース−４ホスフェート（エチレンオキシド平均４モル付加ラノリンアルコールとリン酸のトリエステル）を含有するものである。なお、以下の原料名は、一般名又は米国ＣＴＦＡ（Ｔｈｅ　Ｃｏｓｍｅｔｉｃ，Ｔｏｉｌｅｔｒｙ　ａｎｄ　Ｆｒａｇｒａｎｃｅ　Ａｓｓｏｃｉａｔｉｏｎ）名を用いた。
　しかしながら、これらの製品は、毛髪に充分浸透するような均一なエマルションを形成せず、また、その後長時間後でも拡散した外観のままで透明な二層に分離しないなど、前記の要件を満足するものではなかった。
　【０００５】
　ドイツ特許第４，１００，４９０号には、スキントリートメント用の二層組成物が開示されている。この組成物は、分離した透明な二層が存在し、振とうにより混合されると均一相を形成し、その後異なる透明な二層に分離するものであり、乳化剤として、炭素数１２〜１８のトリグリセリン脂肪酸モノエステルを全組成物中に０．１〜１．０重量％含有する。このように製造される組成物は前記の要件を満足するが、毛髪のコンディショニング効果を得るためには、トリグリセリン脂肪酸モノエステル自身ではほとんど効果が得られないため、他の特別の成分を、しばしば多量に配合する必要があるという欠点があった。しかも、このことは適合性についての問題も生じる。
　【０００６】
　従って、分離した二層を含有し、振とうすることにより一時的に均一なエマルションとなり、その後すぐに２つの異なる視覚的に分離した相になり、しかも乳化剤が、それ自体で更にヘアコンディショニング効果を有するものである組成物が望まれていた。
　【０００７】
　【課題を解決するための手段】
　かかる実情において、本発明者らは鋭意研究を行った結果、乳化剤として特定のシリコーンコポリオールを用いれば、上記課題を解決した二層型の優れた毛髪化粧料が得られることを見出し、本発明を完成した。
　【０００８】
　すなわち、本発明は、（ａ）油相１５〜４０重量％、（ｂ）一般式（１）
　【０００９】
　【化２】
　【００１０】
（式中、Ｒは炭素数１〜１８のアルキル基を示し、Ａはエチレン基又はプロピレン基を示し、Ｘは水素原子又は炭素数１〜４のアルキル基を示し、ｍ、ｎ及びｚはそれぞれ２〜２５の数を示し、ｌは１〜１０の数を示す）
で表わされるシリコーンコポリオールの少なくとも１種からなる乳化剤０．０５〜５重量％、及び（ｃ）残部の水相からなる、使用前には異なる二層に分離し、振とうすることにより混合されて短時間に均一なエマルションを形成し、その後二層に分離する毛髪化粧料を提供するものである。
　【００１１】
　一般式（１）で表わされるシリコーンコポリオールの好ましいものとしては、例えばダウコーニング社、ゴールドシュミット社、ユニオンカーバイド社、信越化学工業社等から市販されているジメチコーンコポリオールが挙げられ、これらは式（１）中、ｍが５〜１５、ｎが３〜７、ｌが２又は３、ｚが１０〜１５の数を示すものである。また、Ｘは水素原子、エチル基、メチル基、ｎ−プロピル基、イソプロピル基、ｎ−ブチル基を示す。Ｒとしては、メチル基、ラウリル基、セチル基が好ましい。
　【００１２】
　このようなシリコーンコポリオールとしては、Ａｂｉｌ　Ｂ　８８４２、Ｂ　８８４３、Ｂ　８８４７、Ｂ　８８５１、Ｂ　８８５２、Ｂ　８８６３、Ｂ　８８７３、Ｂ　８８１８３、Ｂ　８８１８４（以上、ゴールドシュミット社製）、Ｄｏｗ　Ｃｏｒｎｉｎｇ　１９０、１９３、Ｑ２−５２２０ポリエーテル（以上、ダウコーニング社製）、信越　ＫＦ　３５１Ａ、ＫＦ　３５２Ａ、ＫＦ　３５３Ａ、ＫＦ　３５４Ａ、ＫＦ　３５５Ａ、ＫＦ　６１５Ａ、ＫＦ　６２５Ａ、ＫＦ　９４５Ａ（以上、信越化学工業社製）、Ｓｉｌｗｅｔ（ユニオンカーバイド社製）などの市販品を用いることができる。
　【００１３】
　これらのシリコーンコポリオールは、１種又は２種以上を組合わせて用いることができ、全組成中に０．０５〜５重量％、好ましくは０．２５〜３重量％配合される。０．０５重量％未満では、振とうにより速やかに乳化せず、５重量％を超えると静止による速やかな二層分離を得ることができない。
　【００１４】
　本発明の毛髪化粧料において、油相の割合は全組成中に約１５〜４０重量％、特に約２０〜３０重量％、更に約２０重量％であるのが好ましい。
　この油相は天然又は合成油のあらゆるものを含んでいてもよく、かかる油相成分としては、例えば前記ドイツ特許第４，１００，４９０号に記載されているものなどが挙げられる。
　【００１５】
　油相成分としては、公知の種々のシリコーン油、特に高〜低揮発性脂肪族又は環状シロキサンが好ましい。好ましいシロキサンとしては、例えばヘキサメチルジシロキサンが挙げられ、特にこれを単独又はポリフェニルメチルシロキサン等の環状シロキサンと混合したものが好ましい。
　また、例えばオクタ−、デカ−又はドデカメチルシクロヘキサシロキサン等の、一般名「シクロメチコーン」として知られている、ポリジメチルシクロシロキサンも好ましい。
　これらの揮発性シリコーンを用いる場合には、密閉可能なエアゾール容器又はスプレー容器を用いるのが好ましい。
　【００１６】
　更に、油相成分として好ましいものとしては、炭素数約４〜３０の直鎖、分岐鎖又は環状の炭化水素、またこれらと前記シリコーン油との混合物が挙げられる。これらの場合には、脂肪族アルコールも好ましく、例えば炭素数８〜２２の脂肪族アルコール、そのエステル、更に長鎖脂肪酸の例えばエチル又はイソプロピルアルコール等の低級アルコールのエステルなどが挙げられる。
　【００１７】
　本発明の毛髪化粧料において、油相成分として好ましく用いられる天然油脂としては、当該分野で公知のものが挙げられ、例えば“化粧品の基礎及び処方”（Ｋ．Ｓｃｈｒａｄｅｒ，第２版，１９８９年，Ｈｕｔｈｉｇ　Ｂｕｃｈｖｅｒｌａｇ，ハイデルベルク）第３２４〜３４１頁に記載されているものなどが挙げられる。
　【００１８】
　水相の割合は、油相の割合に依存することは明らかであり、両相の合計が１００重量％となる。水相には、前記シリコーンコポリオールのほか、通常の毛髪化粧料に用いられる成分、例えば水、保湿剤、アルコール類、ビタミン類、植物抽出物、紫外線吸収剤、血行促進剤、抗炎症剤、香料等、更に、生理学的に許容される酸、所望のｐＨに調整するための緩衝剤などが配合される。
　【００１９】
　本発明の毛髪化粧料には、更に視覚的な変化をもたせるために、染料を配合することができ、油相には油溶性の染料を、水相には水溶性の染料を使用することができる。
　好ましい染料としては、ドイツ化粧品規則（Ｄｅｕｔｓｃｈｅ　Ｋｏｓｍｅｔｉｋｖｅｒｏｒｄｎｕｎｇ）のＡｎｎｅｘＩＩＩに記載されている、化粧品に許容される染料などが挙げられる。
　【００２０】
　本発明の毛髪化粧料は、ヘアリンス等のヘアコンディショニング剤とする場合には、更にヘアコンディショニング成分を１相又は両相に添加することができる。ヘアコンディショニング成分としては、公知のもの、例えば前記Ｓｃｈｒａｄｅｒの文献の第７２２〜７７１頁に記載されているものなどが挙げられる。
　また、毛髪にハリ・コシを持たせるためには、ナフタレンスルホン酸塩、例えば２−ナフタレンスルホン酸のアルカリ金属塩等を全組成中に０．１〜１０重量％、特に０．５〜５重量％配合するのが好ましい。
　【００２１】
　本発明の毛髪化粧料は、２５℃における粘度が１０００ｍＰａ・ｓｅｃ２（ｃＳｔ）以下であるのが好ましい。
　【００２２】
　【発明の効果】
　本発明の毛髪化粧料は、乳化剤としてシリコーンコポリオール（１）を使用することにより、２つの異なる視覚的に分離した相を含み、使用前に振とうすることにより直ちに混合され均一なエマルションとなり、その後すぐに透明な二層に分離するものである。そして、前記乳化剤以外に特に乳化剤やコンディショニング剤を用いる必要がなく、前記二層型の優れた性能が得られ、しかもコンディショニング効果も良好である。
　【００２３】
　【実施例】
　次に実施例を挙げて本発明を更に説明する。
　【００２４】
参考例１
　透明な油相Ａと透明な水相Ｂを含む下記組成のヘアコンディショニング剤を製造した。
　【００２５】
　【表１】
油相Ａ：　　　　　　　　　　　　　　　　　　　　　　　　　　　（重量％）
　　ジメチコーン（ＤＣ　２００，０．２５ｃＳｔ（２５℃））　　２０．０
　　シクロメチコーン（ＤＣ　３４４）　　　　　　　　　　　　　　５．０
水相Ｂ：
　　グリセリン　　　　　　　　　　　　　　　　　　　　　　　　　５．０
　　２−ナフタレンスルホン酸ナトリウム　　　　　　　　　　　　　３．０
　　ジメチコーンコポリオールメチルエーテル（信越　ＫＦ　３５１Ａ）
　　　　　　　　　　　　　　　　　　　　　　　　　　　　　　　　０．５
　　アラントイン　　　　　　　　　　　　　　　　　　　　　　　　０．２
　　水　　　　　　　　　　　　　　　　　　　　　　　　　　　　バランス
　【００２６】
　得られたコンディショニング剤は２つの異なる透明な完全に分離した相を含み、これを振とうすると均一なエマルションが得られた。このエマルションを毛髪に適用すると、均一に広がり、すぐに浸透してコンディショニング効果を得ることができた。
　また、振とう後１０分以内にエマルションは完全に分離した透明な二層にもどった。
　【００２７】
参考例２
　下記組成の透明な油相Ａと透明な水相Ｂより、ヘアコンディショニング剤を製造した。使用前に振とうして二層を混合すると、直ちに均一になり、これをシャンプーした髪に適用すると、良好な光沢と豊かな感触とボリュームが得られた。
　また、振とう後１０分以内に、エマルションは分離した透明な二層にもどった。
　【００２８】
　【表２】
油相Ａ：　　　　　　　　　　　　　　　　　　　　　　　　　　　（重量％）
　　シクロメチコーン（ＤＣ　３４４）　　　　　　　　　　　　　　５．０
　　ジメチコーン（ＤＣ　２００；０．６５ｃＳｔ）　　　　　　　　５．０
　　フェニルトリメチコーン（ＤＣ　５５６）　　　　　　　　　　　１．０
　　イソドデカン　　　　　　　　　　　　　　　　　　　　　　　１０．０
油相Ｂ：
　　ジメチコーンコポリオールブチルエーテル（信越　ＫＦ　３５２Ａ）
　　　　　　　　　　　　　　　　　　　　　　　　　　　　　　　　０．５
　　エタノール　　　　　　　　　　　　　　　　　　　　　　　　　５．０
　　０．２Ｍ　クエン酸水溶液　　　　　　　　　　　　　　　　　　３．９
　　緑茶エキス　　　　　　　　　　　　　　　　　　　　　　　　　１．０
　　Ｄ−パンテノール　　　　　　　　　　　　　　　　　　　　　　０．５
　　水　　　　　　　　　　　　　　　　　　　　　　　　　　　　バランス
　【００２９】
実施例１
　参考例２と同様に、２つの異なる色の相を含むヘアコンディショニング剤を製造した。得られたコンディショニング剤は混合すると１つの均一な相になり、使用後は再び完全に分離した。
　【００３０】
　【表３】
油相Ａ：　　　　　　　　　　　　　　　　　　　　　　　　　　　（重量％）
　　Ｃ１２〜Ｃ１４パラフィン混合物　　　　　　　　　　　　　２０．００
　　油溶性青色染料　　　　　　　　　　　　　　　　　　　　　　　０．０１
水相Ｂ：
　　ジメチコーンコポリオール（信越　ＫＦ　３５３Ａ）　　　　　　０．７５
　　パンテノール　　　　　　　　　　　　　　　　　　　　　　　　０．５０
　　エタノール　　　　　　　　　　　　　　　　　　　　　　　　１０．００
　　水　　　　　　　　　　　　　　　　　　　　　　　　　　　　バランス